(57)【要約】【課題】本発明は多重組織の布帛（織布若しくは編布）からの切断による布製品の形成方法に関し、デザインのより一層の多様化及び布帛製造の効率化の実現を図ることを目的とするものである。【解決手段】織布10は縦糸開口装置としてジャカードを有する織機により織製される。織布10は、一重組織よりなる区域24と二重組織よりなる区域14, 16, 18, 20, 22とが混在している。織布10は布製品（エプロン）の輪郭線12に沿って切断され、切断により得られた布製品における二重組織区域14, 16, 18, 20, 22はその一方の層を他方の層に対する連結を維持して切断線に沿って切断され、この切断により部分的に分離された層を折り返すことにより延長部が構成される。【選択図】  図１
2005350787.tif 000002
【特許請求の範囲】
【請求項１】
一重組織よりなる区域と多重組織よりなる区域とを供えた布帛をジャカード機構にて織製若しくは編製し、前記布帛を所定の輪郭形状に沿って布切片に切り離すと共に、前記所定の輪郭形状に切断された前記布切片における多重組織の特定区域における一部の層をその少なくとも一部は残余の層との連結を維持させつつ切断し、この切断により得られた一部の層の少なくとも一部により布切片の延長部分を構成することを特徴とする方法。
【請求項２】
一重組織よりなる区域と多重組織よりなる区域とを供えた布帛をジャカード機構にて織製若しくは編製し、前記布帛を布製品の輪郭形状に沿って切り離すと共に、所望の輪郭形状に切断された前記布製品における多重組織の特定区域における一部の層をその少なくとも一部は残余の層との連結を維持させつつ切断し、この切断により得られた一部の層の少なくとも一部により布製品から延長される、一体な付加的機能部分を構成することを特徴とする方法。
【発明の詳細な説明】
【技術分野】
【０００１】
この発明は多重組織の布帛（織布若しくは編布）からの切断による布製品の形成方法に関するものである。
【背景技術】
【０００２】
ジャカードの利用により、布製品輪郭に沿った接結部を有した多重組織の織布の織製を行い、織製された織布区を布製品輪郭に沿って切り出すことにより布製品を得る方法は公知である。この方法において、衣類やバッグなどの布製品の輪郭線に沿った部分は一重組織（表裏接結組織）にて織製され、輪郭線の内側の身頃（前身頃及び後身頃）となる部分は二重織組織（表裏分離組織）にて織製される。そして、織布は輪郭線に沿った切断され、そのため、これにより、前身頃と後身頃とを輪郭線に沿って接結した衣類を得ることができる。また、織布の残余の部分には帯紐やバンドなどの布製品のパーツとなる部分も織り込まれており、輪郭線に沿ってパーツに切り出し、縫製などの通常の手段によって衣類にアセンブルことがもできるようになっている（特許文献１参照）。
【特許文献１】特開２００１−１１５３５７
【発明の開示】
【発明が解決しようとする課題】
【０００３】
特開２００１−１１５３５７は織布からの衣類やバッグや布製品パーツの直接切り出しを可能とし、実質的に無法製での衣類の製造を可能とし、かつジャカードの採用にともないパターンの自由度が実質的に無限であり、デザインの可能性を高めることができる。本発明はジャカードにより得られた多重組織の直接切り出しによる布製品についてデザインのより一層の多様化及び布帛製造の効率化の実現を図ることを目的とするものである。
【課題を解決するための手段】
【０００４】
請求項１に記載の発明によれば、一重組織よりなる区域と多重組織よりなる区域とを供えた布帛をジャカード機構にて織製若しくは編製し、前記布帛を所定の輪郭形状に沿って布切片に切り離すと共に、前記所定の輪郭形状に切断された前記布切片における多重組織の特定区域における一部の層をその少なくとも一部は残余の層との連結を維持させつつ切断し、この切断により得られた一部の層の少なくとも一部により布切片の延長部分を構成することを特徴とする方法が提供される。
【０００５】
請求項２に記載の発明によれば、一重組織よりなる区域と多重組織よりなる区域とを供えた布帛をジャカード機構にて織製若しくは編製し、前記布帛を布製品の輪郭形状に沿って切り離すと共に、所望の輪郭形状に切断された前記布製品における多重組織の特定区域における一部の層をその少なくとも一部は残余の層との連結を維持させつつ切断し、この切断により得られた一部の層の少なくとも一部により布製品から延長される、一体な付加的機能部分を構成することを特徴とする方法が提供される。
【発明の効果】
【０００６】
請求項１の発明の作用・効果を説明すると、布帛における多重組織よりなる区分を上下層が分離されるように一部切り離し、分離された層の部位を残余の層の部位より延長させる。そのため、最終的な布切片の長さを布帛から切り出し時の布切片の長さに対して延長することができ、織製もしくは編製の負担（織製もしくは編製作業時間）を減少させつつ必要な製品長さを確保することができ、他方ジャカードの採用により延長部分のパターン形状及び大きさに制限がないため、布帛の全幅にわたるような大柄のパターンでも延長部分とすることができ、デザイン上の制約が実質的になく、任意の形状及び長さの延長部分の形成が可能であり、得られる布切片の長さを現実の織長より延長できたり。
【０００７】
請求項２の発明の作用・効果を説明すると、請求項１と同様に布帛におけるその布製品の輪郭部分より長い布製品長を得ることができ織製もしくは編製の負担（織製もしくは編製作業時間）を減少させることができ、ジャカードの採用により延長部分のパターン形状及び大きさに制限がないため、布帛の全幅にわたるような大柄のパターンでも延長部分とすることができ、布製品に対するデザイン上の制約が実質的にない。また、延長部分は、布製品にそのまま一体化された裾の部分や紐状部などの布製品の機能部分として構成することができ、布製品の製造の効率を高めると共にデザイン性を高めることができる。
【発明を実施するための最良の形態】
【０００８】
図１はこの発明の実施形態としての織布１０を示しており、この発明をエプロンに応用したものである。織布は経糸開口装置としてジャカードを備えた織機により織製される。ジャカードとしてはこの実施形態では例えば10,000を超える多数の口数を備えたもの（例えばストーブリ(STAUBLI)社の型番LX3200）が使用され、そのため全織幅において経糸一本一本の独立的な開口制御をなしうるようになっている。必要に応じてより口数がより少ないジャカードを使用することは勿論可能である。
【０００９】
この実施形態では織布１０の全織巾において一枚のエプロンの織製を行っており、１２がエプロンの輪郭線（パターン）となる。エプロンの輪郭線１２となるパターンは一つ（１リピート）のみ示されるが多数のパターンが織布１０の長手方向に繰り返され、一枚の織布より多数のエプロンが切り出されるようになっていることはいうまでもない。織布は一重組織よりなる区域と二重組織（３重以上の多重組織を含む）よりなる区域とが混在しており、図中交差斜線を施した区域14, 16, 18, 20, 22 が二重組織にて構成され、その他の区域は一重組織にて織製される。即ち、区域１４に関して図２に示すように上下層14A, 14Bが設けられ、上下層14A, 14Bは完全に分離した状態にあり、上下層14A, 14Bにおいては上層１４Ａの縦糸は上層１４Ａの横糸とのみ交絡し、下層１４Ｂの縦糸は下層１４Ｂの横糸とのみ交絡するようになっている。その他の区域16, 18, 20, 22についても同様な上下２層構造である。後述するように区域14, 16は切り離しによりポケットとなり、区域１８は切り離しにより下方向に延長され、ポケット丈を延長させると共に延長部を形成し、また、区域20, 22は切り離しにより腰紐を装着せしめる袋状空間を形成する機能を果たすようになっている。
【００１０】
二重組織の区域14, 16, 18, 20, 22に隣接する一重組織区域は２４にて示され、この区域おいては図２に示すように上下層は一体化され一層となっている。区域１８の上側境界の帯状領域２６、エプロン輪郭線１２に沿った両側の帯状領域２８及び上側の帯状領域３０は一重組織であるが、織布１０からの布製品としてのエプロンの切断の補助となるように地組織２４とは別の一重組織で織製することにより区域を視覚的に明確化させている。また、エプロンのポケット部分を形成するための布帛の切断部分を明確化させるため切断線に沿って鋏及び矢印を表すシンボル模様31, 32が形成されているが、この実施形態ではこれらの模様31, 32は織組織として構成されている。この発明では織布１０はジャカードによって織製され、縦糸は全巾で独立開口が可能なため、任意の大きさの所望の形状の模様を織布中に織り込むことが自在に可能であり、模様31, 32についても縦糸及び緯糸の適当な色使いにより鋏及び矢印が浮き立つような所望の組織（この実施形態では１重組織）にて織製が可能である。
【００１１】
二重組織の区域14, 16, 18, 20, 22における織組織及び帯状境界領域26, 28, 30も含む地となる一重組織の区域２４の織組織については限定されることはなく、平組織でも綾組織でも任意の適当なものを選定することができる。ジャカードの採用により任意のサイズの大柄の模様をポケットとなるを区域14, 16に形成することはもとより可能である。
【００１２】
次に、第１の実施形態における織布１０からのエプロンの切り離しについて説明すると、先ず、輪郭線１２に沿って布帛１０の切断が行われる。輪郭線１２に沿った切断によって、二重組織の区域20, 22は,その片側端20A, 22Aに沿って開口され、袋状空間３４が形成され（区域２０について図３参照）、後述のようにこの部分はエプロンの腰紐の装着部分となる。図４は輪郭線に沿って切断後に得られた織布切片を示す。そして、エプロンにポケットを形成するため図１の区域14, 16の部位において地組織２４との境界線に沿った部分14-1, 16-1が片側層（図の上側の層）のみ切断される。区域14, 16における上側層における鋏をいれる領域は図１でそれぞれL1, L2の矢印にて表される。ラインL1, L2での区域14, 16における上側層のみの切断が行われると、この部位は折り返すことにより図４のように垂れ下がり、切断による区域14, 16における上側層の垂れ下がり部分（本発明の延長部分）を図４の14A, 16Aにて示す。そのため、区域14, 16における下側層14B, 16Bが一部見えてくる。この実施形態では下側層14B にはナイフ、フォーク、スプーンよりなるシンボル模様が織製により浮き立つようにされており（ナイフ、フォーク、スプーンが浮き立つように縦・緯糸の色使い及び織組織が決められている）、そのため、上側層を１４Ａのように折り返した状態では、この織模様４０が一部露出される。ナイフ、フォーク、スプーンは表裏どちら側からも見えるため、内容物をサイン化することができる。
【００１３】
また、二重織区域１８については、地組織としての帯状区域２６に隣接した二重層区域１８の上側層のみが図１のラインｍに沿った切断が行われ、その結果、区域１８における上側層の部分が垂れ下がり、１８Ａはこの垂れ下がった区域１８における上側層の部分（本発明の延長部分）を示す。即ち、本発明の織布１０における部分的な二重組織区域における一部層のみの部分的な切断により織布の丈を図４のＸで示す長さだけ延長することができる。延長部分をエプロンの裾部分（本発明における布製品への付加的機能部分）として機能させることができる。即ち、織製時より長さを増大させた布製品とすることができ、換言すれば、布製品の必要長さに対して必要な織布の長さを短縮することができ、織製工程の負担をその分軽減することが可能となる。
【００１４】
また、二重組織の区域20, 22による腰紐の装着について説明すると、既に説明の通り、二重組織区域20, 22は外側端部20A, 22Aが切断されることにより外部が開口した袋状部３４（図３）が形成されている。腰紐42, 44は織製により細長い帯状（ストリップ状）に形成され、腰紐42, 44の端部は対応の二重組織区域20, 22における袋状開口部に挿入され、縫製により一体化される。このようにして得られた縫製ラインを図５では46, 48にて模式的に示す。織布に二重組織の区域を形成し、この区域を部分的に切断することにより外部に開口された袋状部となし、この袋状部にストリップ状の腰紐を挿入し、縫製することでエプロン製造時における布地に対するストリップ材の一体化を容易かつ確実に行うことができる。
【００１５】
図６及び図７はこの発明の別実施形態を示しており、ランチェオンマットやその他の目的のシートに利用することができる。織布６４は基本的には一重組織で織製されているが、長手方向の一端に、実質的に半円形の二重組織の部位６０を備えると共に、一対の斜めに延びる帯状の二重組織の部位62, 63を備える。二重組織の部位60, 62, 63はその上層が下層から部分的に切り離され、しかし、残余の部位は一重組織の部位６４と連結を維持したままとする。二重組織の部位60, 62, 63における下側の層（部位60, 62について60', 62'にて示す）はその全体が地組織６４に一体のまま留まる。部位６０は切り離された後の上層がループとなり、部位62, 63は紐として機能される。部位60, 62, 63は布製品としてのランチェオンマットにループと紐とからなる結束手段を一体で提供する本発明の付加的機能部分となる。即ち、図７に示すように織布６４をロール状に巻回し、紐状の部位62, 63をループ状の部位６０に通した上で結束することができる。
【００１６】
図６及び図７の実施形態では織布における二重組織の部位の部分的な切り離しにより織布（布帛）に一体の結束手段を構成することができ、この手段は図１から図５の実施形態の携帯のランチェオンマットに組み込むことができ、ナイフ、フォーク、スプーンを収容した状態で好都合に巻き取り、結束を行うことができる。
【００１７】
以上の実施形態の説明においては布帛にジャカードにより織製された織布であるが、この発明の思想は編布においても実現することができる。即ち、経編においてはジャカード筬（本発明のジャカード機構）を具備した経編機を使用して編製を行い、布製品（たとえばエプロン）の輪郭を編布中に編製により形成し、布製品の輪郭に沿った切り出しを可能とし、そして、布製品の延長部分（図１及び図２の実施形態においてエプロンの裾となる部分）については二重組織に構成する（地組織との接続部位は上下層を接結するが残余の二重組織の部位については上下層は分離させておく）。また、ポケットとなる部位はその輪郭を二重組織にて構成し、ポケットの輪郭となる部分についてはジャカード筬によって上下層を接結（編み閉じ）する。そして、織布の場合と同様に、布製品（エプロン）の輪郭に沿って切断すると共に、延長部分との境に沿って二重組織の部位を上下層を分離切断し、図２と同様に裏返すことによりエプロンの延長部分を構成する。また、ポケットとなる二重組織の部位においては開口部分のみにおいて上下層を分離し、ポケットにより構成する。また、緯編（丸編）の場合については、全編針について独立選針機構（本発明のジャカード機構）を有した丸編機を利用し、布製品（エプロン）の輪郭をパターンとして編製し、輪郭にそって布製品の直接切り出しを行うと共に、上下層を上下の接続を維持しつつ分離し（織布の場合のカットライン２６に沿った切断と同様）、切断後伸展することで延長部（図１の実施形態におけるエプロン裾部分18Aの形成と同様）とし、また、ポケット部分ではジャカードによって上下層を接結し、図１のラインL1, L2での同様な部分的切断によりポケットとしての空洞を布帛に直接形成可能とする。
【００１８】
以上の実施形態においてはエプロンのようなエプロンのような最終的な布製品を切り出す際に部分的二重組織部分を切断・伸展することで、布製品の丈を延長したり、一体の紐部分を形成させる場合を説明したが、この発明のアイディアは身頃のような衣類のパーツ部分を二重組織にて構成し、二重組織部分における上下層の接続は維持しつつ、上下層を分離するように部分的切断を行い、切断により切り離された層部分を伸展・延長することで、身頃のようなパーツ部分（最終的な布製品ではないが本発明の布製品となる）を構成することも本発明の技術的思想に包含される。
【図面の簡単な説明】
【００１９】
【図１】図１は切り離しによりエプロンとなるパターン（１リピート）を織り込んだ織布を示す図である。
【図２】図２は図１のII−II線に沿う断面図である。
【図３】図３は図４のIII−III線に沿う断面図である。
【図４】図４は織布より切り出されたエプロンを示す図である。
【図５】図５は図４のエプロンに腰紐を装着・縫製した状態を示す図である。
【図６】図６はこの発明の別の実施形態におけるシート状布帛を示す図である。
【図７】図７は図６のシート状布帛の巻き取り、一体のひも状部で結束した状態を示す斜視図である。
【符号の説明】
【００２０】
１０…織布
１２…エプロンの輪郭線（１リピート）
14, 16, 18, 20, 22…二重組織区域
14A, 14B…上下層
14A, 16A…ポケットの垂れ下がり部分（この発明の延長部）
18A…エプロンの裾部分（この発明の延長部）
２４…一重組織区域
【図１】
2005350787.tif 000003
【図２】
2005350787.tif 000004
【図３】
2005350787.tif 000005
【図４】
2005350787.tif 000006
【図５】
2005350787.tif 000007
【図６】
2005350787.tif 000008
【図７】
2005350787.tif 000009